(57)【要約】【課題】  物品を、フィルムによって容易に包装することができ、しかも、保管する場合にも特別な管理を必要とせず、さらには、資源を無駄に消費することがない。【解決手段】  複数の輸送容器３１が積み重ねられて直方体形状のブロックとされて、正方形状または直方形状の上面１１に載置される平板状のパレット本体１０と、パレット本体１０の上面１１における各辺に沿ってそれぞれ配置された第１〜第４の巻き取り式スクリーン２１〜２４とを有する。各第１〜第４の巻き取り式スクリーン２１〜２４からフィルム２１ｂ〜２４ｂがそれぞれ上方に向かって引き出されると、ブロック３０の各側面に沿った状態で、相互に隣接するフィルム２１ｂ〜２４ｂ同士が、面ファスナーによって相互に係合状態とされる。【選択図】  図３
2006044755.tif 000002
【特許請求の範囲】
【請求項１】
複数の物品が積み重ねられて直方体形状のブロックとされて、正方形状または直方形状の上面に載置される平板状のパレット本体と、
該パレット本体の上面における各辺に沿ってそれぞれ配置されており、それぞれからフィルムが上方に向かって引き出されるとともに、引き出されたフィルムがそれぞれ自動的に巻き取られる第１、第２、第３、第４の各巻き取り式スクリーンと、
前記各巻き取り式スクリーンからそれぞれ引き出されて前記ブロックの各側面に沿った状態で、相互に隣接するフィルム同士を相互に係合状態とする係合手段と
を有するパレット。
【請求項２】
前記第１の巻き取り式スクリーンの第１フィルムは、前記ブロックの一方の側面および上面に沿った状態とされる請求項１に記載のパレット。
【請求項３】
前記第１の巻き取り式スクリーンに対向して設けられた第３の巻き取り式スクリーンにおける第３フィルムの先端部と、前記第１フィルムの先端部と係合状態とされる請求項２に記載のパレット。
【請求項４】
前記第３フィルムの先端部と前記第１フィルムの先端部のいずれか一方に面ファスナーの係合部が設けられ、他方に面ファスナーの被係合部が設けられている請求項３に記載のパレット。
【請求項５】
前記係合手段は、前記第１および第３の巻き取り式スクリーンにおけるそれぞれの第１および第３のフィルムの各側縁部に沿って配置された面ファスナーの被係合部と、相互に対向して配置された前記第２および第４の巻き取り式スクリーンにおけるそれぞれの第２および第４のフィルムの各側縁部に沿って分断状態で配置された面ファスナーの係合部とによってそれぞれ構成されている請求項３に記載のパレット。
【請求項６】
前記パレット本体の上面における相互に対向して配置された第２および第４の巻き取り式スクリーンからそれぞれ引き出されるフィルムの先端部には、前記第１の巻き取り式スクリーンの各側縁部にそれぞれ設けられた面ファスナーの被係合部とそれぞれ係合される面ファスナーの係合部がそれぞれ設けられている請求項５に記載のパレット。
【請求項７】
複数の物品が積み重ねられて直方体形状のブロックとされて、正方形状または直方形状の上面に載置される平板状のパレット本体と、
該パレット本体の上面における３辺に沿ってそれぞれ配置されており、それぞれからフィルムが上方に向かって引き出されるとともに、引き出されたフィルムがそれぞれ自動的に巻き取られる第１〜第３の巻き取り式スクリーンと、
前記各巻き取り式スクリーンからそれぞれ引き出されて前記ブロックの各側面に沿った状態で、相互に隣接するフィルム同士を相互に係合状態とする係合手段と
を有するパレット。
【請求項８】
前記３つの巻き取り式スクリーンは、第１の巻き取り式スクリーンと、該第１の巻き取り式スクリーンの両側にそれぞれ配置された第２および３の巻き取り式スクリーンとによって構成されており、
前記第１の巻き取り式スクリーンの第１フィルムは、前記ブロックの一方の側面、上面、および該側面に対向する側面に、それぞれ順番に沿った状態とされて、その先端部が、前記パレット本体に係止される請求項７に記載のパレット。
【請求項９】
前記係合手段は、前記第１の巻き取り式スクリーンにおける第１のフィルムの両側の各側縁部に沿って配置された面ファスナーの被係合部と、前記第２および第３の巻き取り式スクリーンにおけるそれぞれの第２および第３のフィルムの両側の各側縁部に沿って分断状態で配置された面ファスナーの係合部とによってそれぞれ構成されている請求項８に記載のパレット。
【発明の詳細な説明】
【技術分野】
【０００１】
本発明は、各種物品を搬送するために使用されるパレットに関し、特に、複数の物品を積み重ねて直方体形状のブロックを形成して、形成されたブロックが載置されるパレットに関する。
【背景技術】
【０００２】
液晶表示パネルの製造工場において、ガラス板、電子機器部品等のような各種部品は、通常、輸送用容器内に収容されて搬入され、クリーンルーム内において、所定の処理が実施された後に、製品である液晶表示パネルに組み立てられる。このように、ガラス板等の部品は、クリーンな状態に保持することが必要とされることから、工場内へ搬入する場合のような輸送時においても、できるだけクリーンな状態とすることが好ましい。
【０００３】
ガラス板等の部品が収容された物品である輸送用容器は、パレット上に、所定個数が長方体形状のブロックに積み重ねられて、工場等に搬入される。パレット上に積載された複数個の輸送用容器のブロックは、汚れ、埃等が付着しないように、また、輸送時に荷崩れが生じないように、ストレッチフィルム、シュリンクフィルム等のフィルムによって包装される。
【０００４】
しかしながら、パレット上に積載された複数個の輸送用容器のブロックをフイルムによって包装する作業は、作業員による手作業で行われていることから、手数が掛かり、しかも、包装に熟練を要するという問題がある。また、包装に使用されるフィルムは、１度きりの使い捨てであり、不要になったフイルムをゴミとして処分しなければならず、不経済であるとともに、環境に対して好ましいものではない。
【０００５】
このような問題を解決するために、特開２００２−２５５２２７号公報（特許文献１）および特開２００２−３６２６１５号公報（特許文献２）には、パレット上に積載された複数個の輸送用容器にて構成されたブロックを上側から保護カバーを被せる構成が開示されている。
【特許文献１】特開２００２−２５５２２７号公報
【特許文献２】特開２００２−３６２６１５号公報
【発明の開示】
【発明が解決しようとする課題】
【０００６】
上記特許文献１および２に開示されているように、保護カバーを使用することによって、熟練を要するフィルムによる包装作業が不要になり、しかも、保護カバーは、繰り返して使用することができるために廃棄物量を減少させることができ、環境にとっても好適である。
【０００７】
しかしながら、パレット上に積み重ねられた輸送用容器のブロックを上側から保護カバーを被せるため、および、保護カバーを輸送用容器のブロックから取り外すためには、高所において作業を実施する必要があり、その作業が容易でないという問題がある。さらには、保護カバーは、パレットと分離状態になっているために、保護カバーを使用しない場合には、パレットと保護カバーとをそれぞれ個別に保管する必要があり、その管理が煩わしいという問題もある。
【０００８】
本発明は、このような問題を解決するものであり、その目的は、パレット上に積み重ねられる輸送用容器等の物品を、フィルムによって容易に包装することができ、しかも、保管する場合にも特別な管理を必要とせず、さらには、資源を無駄に消費することがないために環境に対して悪影響を与えるおそれのないパレットを提供することにある。
【課題を解決するための手段】
【０００９】
本発明のパレットは、複数の物品が積み重ねられて直方体形状のブロックとされて、正方形状または直方形状の上面に載置される平板状のパレット本体と、該パレット本体の上面における各辺に沿ってそれぞれ配置されており、それぞれからフィルムが上方に向かって引き出されるとともに、引き出されたフィルムがそれぞれ自動的に巻き取られる第１、第２、第３、第４の各巻き取り式スクリーンと、前記各巻き取り式スクリーンからそれぞれ引き出されて前記ブロックの各側面に沿った状態で、相互に隣接するフィルム同士を相互に係合状態とする係合手段とを有する。
【００１０】
前記第１の巻き取り式スクリーンの第１フィルムは、前記ブロックの一方の側面および上面に沿った状態とされる。
【００１１】
前記第１の巻き取り式スクリーンに対向して設けられた第３の巻き取り式スクリーンにおける第３フィルムの先端部と、前記第１フィルムの先端部と係合状態とされる。
【００１２】
前記第３フィルムの先端部と前記第１フィルムの先端部のいずれか一方に面ファスナーの係合部が設けられ、他方に面ファスナーの被係合部が設けられている。
【００１３】
前記係合手段は、前記第１および第３の巻き取り式スクリーンにおけるそれぞれの第１および第３のフィルムの各側縁部に沿って配置された面ファスナーの被係合部と、相互に対向して配置された前記第２および第４の巻き取り式スクリーンにおけるそれぞれの第２および第４のフィルムの各側縁部に沿って分断状態で配置された面ファスナーの係合部とによってそれぞれ構成されている。
【００１４】
前記パレット本体の上面における相互に対向して配置された第２および第４の巻き取り式スクリーンからそれぞれ引き出されるフィルムの先端部には、前記第１の巻き取り式スクリーンの各側縁部にそれぞれ設けられた面ファスナーの被係合部とそれぞれ係合される面ファスナーの係合部がそれぞれ設けられている。
【００１５】
また、本発明のパレットは、複数の物品が積み重ねられて直方体形状のブロックとされて、正方形状または直方形状の上面に載置される平板状のパレット本体と、該パレット本体の上面における３辺に沿ってそれぞれ配置されており、それぞれからフィルムが上方に向かって引き出されるとともに、引き出されたフィルムがそれぞれ自動的に巻き取られる第１〜第３の巻き取り式スクリーンと、前記各巻き取り式スクリーンからそれぞれ引き出されて前記ブロックの各側面に沿った状態で、相互に隣接するフィルム同士を相互に係合状態とする係合手段とを有する。
【００１６】
前記３つの巻き取り式スクリーンは、第１の巻き取り式スクリーンと、該第１の巻き取り式スクリーンの両側にそれぞれ配置された第２および３の巻き取り式スクリーンとによって構成されており、前記第１の巻き取り式スクリーンの第１フィルムは、前記ブロックの一方の側面、上面、および該側面に対向する側面に、それぞれ順番に沿った状態とされて、その先端部が、前記パレット本体に係止される。
【００１７】
前記係合手段は、前記第１の巻き取り式スクリーンにおける第１のフィルムの両側の各側縁部に沿って配置された面ファスナーの被係合部と、前記第２および第３の巻き取り式スクリーンにおけるそれぞれの第２および第３のフィルムの両側の各側縁部に沿って分断状態で配置された面ファスナーの係合部とによってそれぞれ構成されている。
【発明の効果】
【００１８】
本発明のパレットでは、パレット本体に載置された物品のブロックが、各巻き取り式スクリーンから引き出されたフィルムによって覆われた状態とされる。これにより、輸送時に、各物品に、塵埃、汚れ等が付着することを防止することができ、また、荷崩れも防止することができる。各巻き取り式スクリーンのフィルムは、繰り返し使用されるために、経済的であり、しかも、廃棄物量を低減することができることから、環境に対して悪影響を及ぼすおそれがない。各巻き取り式スクリーンは、パレット本体と一体になっていることから、各巻き取り式スクリーンは、パレット本体と共に管理することができ、管理が容易である。
【発明を実施するための最良の形態】
【００１９】
以下、本発明を実施するための最良の形態について説明する。
（実施例１）
図１は、本発明のパレットの構成を示す斜視図、図２は、その側面図、図３は、その使用状態を示す斜視図である。図４の（ａ）は、第１の巻き取り式スクリーン２１と、第２の巻き取り式スクリーン２２をそれぞれ引き出す前の状態を示す平面断面図であり、（ｂ）は、第１の巻き取り式スクリーン２１と、第２の巻き取り式スクリーン２２を、引き出して係合させた状態を示す平面断面図である。
【００２０】
このパレットは、液晶表示パネルの製造工場において、ガラス板、電子機器部品等のような部品が収容された物品である輸送用容器３１（図２および図３参照）を運搬するために使用され、上面および下面がそれぞれ正方形状または直方形状になった中空平板状のパレット本体１０と、このパレット本体１０の上面１１における各辺に沿ってそれぞれ配置された第１〜第４の巻き取り式スクリーン２１〜２４とを有している。
【００２１】
パレット本体１０は、複数の郵送用容器３１が積み重ねられて形成される直方体形状のブロック３０が載置される上面１１と、この上面１１に対して適当な間隔をあけて平行に配置された下面１２と、上面１１および下面１２との間の周縁部を覆う各側面１３とを有しており、各側面１３には、パレット１０全体を運搬する場合に、フォークリフトの一対のフォークが挿入される一対の開口部１３ａがそれぞれ設けられている。
【００２２】
パレット本体１０の上面１１に載置されるブロック３０は、例えば、それぞれの段に、３個の輸送用容器３１が水平方向に並んだ状態で、３段にわたって積み重ねられることによって形成される。
【００２３】
パレット本体１０の上面１１における各側縁部に沿って設けられた第１〜第４の各巻き取り式スクリーン２１〜２４は、それぞれ、円筒状のケーシング２１ａ〜２４ａ内に、帯状の第１〜第４の各フィルム２１ｂ〜２４ｂが、ロール状に巻回された状態で収容されており、各フィルム２１ｂ〜２４ｂが、ケーシング２１ａ〜２４ａ内に、常時、巻き取られるように付勢されている。各ケーシング２１ａ〜２４ａの上部におけるパレット本体１０の中央部側には、それぞれの長手方向に沿ったスリット２１ｃ〜２４ｃがそれぞれ設けられており、各スリット２１ｃ〜２４ｃから各フィルム２１ｂ〜２４ｂがそれぞれ上方に向かって引き出されるようになっている。第１〜第４の各フィルム２１ｂ〜２４ｂの引き出し側の側縁部における中央部には、各フィルム２１ｂ〜２４ｂをケーシング２１ａ〜２４ａから引き出すための引き出し用把持部２１ｄ〜２４ｄがそれぞれ設けられている。
【００２４】
第１巻き取り式スクリーン２１に設けられた第１フィルム２１ｂにおける外側（パレット本体１０における中央部側とは反対側）の表面には、両側の各側縁部に沿って、面ファスナーの被係合部２１ｅが、被係合面を外側にしてそれぞれ設けられている。また、この第１巻き取り式スクリーン２１の第１フィルム２１ｂには、引き出し側の先端部における外側表面の側縁部に沿って、面ファスナーの被係合部２１ｆが、被係合面を外側にして設けられている。
【００２５】
第１巻き取り式スクリーン２１に対向して設けられた第３巻き取り式スクリーン２３の第３フィルム２３ｂにも、外側の表面における両側の各側縁部に沿って、面ファスナーの被係合側部２３ｅが、被係合面を外側にしてそれぞれ設けられている。この第３巻き取り式スクリーン２３の第３フィルム２３ｂには、引き出し側の先端部における内側表面の側縁に沿って、面ファスナーの係合部２３ｆが、係合面を内側にして設けられている。
【００２６】
相互に対向する第１および第３の巻き取り式スクリーン２１および２３の間に設けられた一方の第２巻き取り式スクリーン２２の第２フィルム２２ｂには、外側の表面における両側の各側縁部に沿って、面ファスナーの係合部２２ｅが、長手方向に適当な間隔が形成された分断状態でそれぞれ設けられている。各係合部２２ｅは、図４（ａ）に示すように、係合面が外側になるように折り重ねられた状態で、その折り曲げ部が第２フィルム２２ｂの側縁に沿ってに配置されて、第２フィルム２２ｂの外側の表面に対向する係合面が、第２フィルム２２ｂの外側の表面に取り付けられている。各係合部２２ｅは、ケーシング２２ａ内に収容された状態では、折り重ねられた状態になっており、ケーシング２２ａから引き出されることによって、外側に折り重ねられた部分が、第２フィルム２２ｂの側方に展開し得るようになる。
【００２７】
この第２巻き取り式スクリーン２２の第２フィルム２２ｂには、引き出し側の先端部における内側表面の側縁に沿って、面ファスナーの係合部２２ｆが、係合面を内側にして設けられている。
【００２８】
第２巻き取り式スクリーン２２に対向して設けられた第４巻き取り式スクリーン２４の第４フィルム２４ｂには、第２巻き取り式スクリーン２２の第２フィルム２２ｂと同様に、外側の表面における両側の各側縁部に沿って、面ファスナーの係合部２４ｅ（図３参照）が、長手方向に適当な間隔をあけた分断状態および折り重ねられた状態でそれぞれ設けられるとともに、引き出し側の先端部における内側表面の側縁に沿って、面ファスナーの係合部２４ｆが、係合面を内側にして設けられている。
【００２９】
このような構成のパレットでは、第１〜第４の各巻き取り式スクリーン２１〜２４は、通常、第１〜第４のフィルム２１ｂ〜２４ｂのそれぞれがケーシング２１ａ〜２４ａ内に収容された状態になっており、それぞれの引き出し用把持部２１ｄ〜２４ｄが、各ケーシング２１ａ〜２４ａのスリット２１ｃ〜２４ｃを通って、上方に延出した状態になっている。
【００３０】
このような状態で、パレット本体１０の上面１１における第１〜第４の巻き取り式スクリーン２１〜２４にて囲まれた領域内に、直方体状の輸送用容器３１が積み重ねられた直方体形状のブロック３０が載置される。輸送用容器３１は、例えば３個ずつ３段に積み重ねられて、第１〜第４の各巻き取り式スクリーン２１〜２４に沿った各側面を有する直方体状のブロック３０とされる。
【００３１】
パレット本体１０上に、所定個数の輸送用容器31のブロック３０が載置されると、第１〜第４の各巻き取り式スクリーン２１〜２４から、第１〜第４のフィルム２１ｂ〜２４ｂが、引き出し用把持部２１ｄ〜２４ｄを持って上方に引き上げることによってそれぞれ引き出される。
【００３２】
この場合、まず、第１の巻き取り式スクリーン２１の第１フィルム２１ｂが、ブロック３０における第１の巻き取り式スクリーン２１に近接した側面に沿って引き出され、さらには、ブロック３０の上面に沿った状態とされ、フィルム２１ｂの引き出し側先端の側縁部に設けられた面ファスナーの被係合部２１ｆが、ブロック３０の上面における第３巻き取り式スクリーン側の側縁部上に位置される。これにより、第１フィルム２１ｂの両側の各側縁部に設けられた面ファスナーの被係合部２１ｅが、ブロック３０における第１巻き取り式スクリーン２１に近接した側面の両側の各側縁部上、および、ブロック３０の上面における第２および第４の各巻き取り式スクリーン２２および２４にそれぞれ近接した側縁部上にそれぞれ位置される。
【００３３】
次いで、第３の巻き取り式スクリーン２３のフィルム２３ｂが、輸送用容器３１にて形成された直方体形状のブロック３０における第３の巻き取り式スクリーン２３に近接した側面に沿って引き出され、第３フィルム２３ｂの引き出し側先端における内側表面の側縁部に設けられた面ファスナーの係合部２３ｆが、ブロック３０の上面における第３巻き取り式スクリーン側の側縁部上に位置された第１巻き取り式スクリーン２１の被係合部２１ｆに係合される。
【００３４】
その後、第２および第４の巻き取り式スクリーン２２および２４の第２および第４の各フィルム２２ｂおよび２４ｂが、ブロック３０における第２および第４の各巻き取り式スクリーン２２および２４に近接した側面に沿ってそれぞれ引き出される。そして、第２および第４の各フィルム２２ｂおよび２４ｂの引き出し側の先端部における内側表面の側縁部に設けられた面ファスナーの係合部２２ｆおよび２４ｆが、ブロック３０の上面における第２および第４の各巻き取り式スクリーン２２および２４にそれぞれ近接した側縁部上にそれぞれ位置された被係合部２２ｆおよび２４ｆにそれぞれ係合される。
【００３５】
このような状態になると、図４（ｂ）に示すように、第２および第４の各フィルム２２ｂおよび２４ｂの両側の各側縁部にそれぞれ設けられた面ファスナーの折り畳まれた係合部２２ｅおよび２４ｅが、第２および第４の各フィルム２２ｂおよび２４ｂの側方に展開されて、第２および第４の隣接する第１および第３の各フィルム２１ｂおよび２３ｂの被係合部２１ｅおよび２３ｅにそれぞれ係合されるように折り曲げられ、各被係合部２１ｅおよび２３ｅにそれぞれ係合される。
【００３６】
これにより、図３に示すように、パレット本体１０上に積み重ねられた輸送用容器３１のブロック３０は、第１〜第４の各フィルム２１ｂ〜２４ｂによって覆われた状態になり、このような状態で、ブロック３０は、パレット本体１０とともに運搬されて、工場内に搬入される。
【００３７】
パレット本体１０とともに運搬されるブロック３０は、第１〜第４の各フィルム２１ｂ〜２４ｂによって、ほぼ全体にわたって覆われた状態になっているために、ブロック３０を形成する各輸送用容器３１に、塵埃、汚れ等が付着することが防止される。また、ブロック３０を形成する各輸送用容器３１は、第１〜第４の各フィルム２１ｂ〜２４ｂによって一体化されているために、運搬時に荷崩れするおそれがない。
【００３８】
ブロック３０の各輸送用容器３１をパレット本体１０から取り出す場合には、第２および第４の各フィルム２２ｂおよび２４ｂと、第１および第３の各フィルム２１ｂおよび２３ｂの相互に隣接する側縁部同士を結合する面ファスナーの係合部２２ｅおよび２４ｅをそれぞれ被係合部２１ｅおよび２３ｅから引き剥がし、係合部２２ｅおよび２４ｅをそれぞれ折れ重ねた状態とする。その後、第２および第４の各フィルム２２ｂおよび２４ｂの先端部と、第１フィルム２１ｂの各側縁部とを結合する面ファスナーの係合部２２ｆおよび２４ｆをそれぞれ被係合部２１ｅから引き剥がす。これにより、第２および第４の各フィルム２２ｂおよび２４ｂは、それぞれ、第２および第４の各巻き取り式スクリーンのケーシング２２ａおよび２４ａ内に自動的に巻き取られる。
【００３９】
その後、ブロック３０の上面にて、第１フィルム２１ｂの先端部の被係合部２１ｆに係合された第４フィルム２４の先端部の係合部２４ｆが引き剥がされる。これにより、第１および第３の各フィルム２１ｂおよび２３ｂは、それぞれ、第１および第３の各巻き取り式スクリーン２１および２３のケーシング２１ａおよび２３ａ内に自動的に巻き取られる。
【００４０】
このように、相互に隣接するフィルム同士を結合する面ファスナーの係合部と被係合部を引き剥がすという簡単な作業で、各フィルム２１ｂ〜２４ｂによるパレット本体１０上のブロック３０の被覆が解除されると、その後、ブロック３０の各輸送用容器３１が、パレット本体１０上から取り出される。従って、パレット本体１０からの各輸送用容器３１の取り出し作業を効率よく実施することができる。しかも、各巻き取り式スクリーン２１〜２４のフィルム２１ｂ〜２４ｂは、何度も繰り返して使用することができるために、経済的であり、また、多量の廃棄物量が発生するおそれもない。
（他の実施例）
なお、上記の実施の形態では、パレット本体１０上に４つの巻き取り式スクリーンを設ける構成であったが、このような構成に限らず、例えば、第１の巻き取り式スクリーンに対向して配置された第３の巻き取り式スクリーンを設けることなく、３つの巻き取り式スクリーンのみを設ける構成にしてもよい。この場合には、第１の巻き取り式スクリーン２１から引き出された第１のフィルム２１ｂは、パレット本体１０上に載置されたブロック３０における第１の巻き取り式スクリーン２１に近接した側面、ブロック３０の上面、その側面に対向する側面にそれぞれ順番に沿った状態とされて、パレット本体１０の上面における第１の巻き取り式スクリーン２１に対向した側縁部に係止される。この場合は、例えば、第１の巻き取り式スクリーン２１のフィルム２１ｂ先端部に設けられた引き出し用把持部２１ｄがパレット本体１０に設けられた係止部材に係止される。
【００４１】
このような状態になると、第２の巻き取り式スクリーン２２と、この第２の巻き取り式スクリーン２２に対向して配置された、前記実施の形態における第４の巻き取り式スクリーンである第３の巻き取り式スクリーン２４とから、それぞれフィルム２２ｂおよび２４ｂが引き出されて、第１の巻き取り式スクリーン２１のフィルムに対して、前記実施の形態と同様にして、引き出されたフィルム２２ｂおよび２４ｂが係合状態とされる。
【００４２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００４３】
梱包物等の物品を搬送するために使用されるパレットにおいて、パレット上に積み重ねられる輸送用容器等の物品を容易に覆うことができるとともに、物品を覆った状態からの解除も容易であり、しかも、保管する場合にも特別な管理を必要としない。
【図面の簡単な説明】
【００４４】
【図１】本発明のパレットの構成を示す斜視図である。
【図２】そのパレットの側面図である。
【図３】そのパレットの使用状態を示す斜視図である。
【図４】（ａ）は、そのパレットの要部の動作を示す平断面図、（ｂ）は、その動作説明のための平断面図である。
【符号の説明】
【００４５】
１０  パレット本体
１１  上面
１２  下面
１３  側面
２１  第１巻き取り式スクリーン
２１ａ  ケーシング
２１ｂ  第１フィルム
２１ｃ  スリット
２１ｄ  引き出し用把持部
２１ｅ  被係合部
２１ｆ  被係合部
２２  第２巻き取り式スクリーン
２２ａ  ケーシング
２２ｂ  第２フィルム
２２ｃ  スリット
２２ｄ  引き出し用把持部
２２ｅ  係合部
２２ｆ  係合部
２３  第３巻き取り式スクリーン
２３ａ  ケーシング
２３ｂ  第３フィルム
２３ｃ  スリット
２３ｄ  引き出し用把持部
２３ｅ  被係合部
２３ｆ  係合部
２４  第４巻き取り式スクリーン
２４ａ  ケーシング
２４ｂ  第４フィルム
２４ｃ  スリット
２４ｄ  引き出し用把持部
２４ｅ  係合部
２４ｆ  係合部
３０  ブロック
３１  輸送用容器
【図１】
2006044755.tif 000003
【図２】
2006044755.tif 000004
【図３】
2006044755.tif 000005
【図４】
2006044755.tif 000006